(57)【要約】【課題】本発明は、薄型電子装置を提供することを目的とする。【解決手段】本発明に係る電子装置は、ベースと、前記ベースに回転可能に装着されるディスプレイ部と、ベースに設置されるマザーボードと、接続部品と、を備える。前記ディスプレイ部は、上カバー及びスクリーンを備え、前記上カバーと前記スクリーンとの間にはギャップが設けられ、前記接続部品は、柔軟性を有する回路基板及び前記回路基板に接続される接続線を備え、前記回路基板は前記ギャップ内に挿入され且つスクリーンに電気的に接続される延伸部を備え、前記接続線は前記マザーボードに電気的接続される。【選択図】図２
2014146315.tif 000002
【特許請求の範囲】
【請求項１】
ベースと、
前記ベースに回転可能に装着されるディスプレイ部と、
前記ベースに設置されるマザーボードと、
接続部品と、
を備えてなる電子装置であって、
前記ディスプレイ部は、上カバー及びスクリーンを備え、前記上カバーと前記スクリーンとの間には、ギャップが設けられ、前記接続部品は、柔軟性を有する回路基板及び前記回路基板に接続される接続線を備え、前記回路基板は、前記接続線よりも薄く、前記ギャップ内に挿入され且つスクリーンに電気的に接続される延伸部を備え、前記接続線は、前記マザーボードに電気的に接続されることを特徴とする電子装置。
【請求項２】
前記ギャップの高さは、０．１５ｍｍ以上０．５ｍｍ以下であることを特徴とする請求項１に記載の電子装置。
【請求項３】
前記ギャップの高さは、０．１６ｍｍ以上０．２１ｍｍ以下であることを特徴とする請求項１に記載の電子装置。
【請求項４】
前記接続線を前記回路基板に接続する連接線を更に備え、
前記接続線は、前記連接線の一端から延伸し、前記連接線の他端は、前記回路基板に溶接され且つ接続されることを特徴とする請求項１から３の何れか一項に記載の電子装置。
【請求項５】
前記ベースは、前記ディスプレイ部を前記ベースに対して回転可能に装着させる回転部を備え、前記ディスプレイ部には、収容部が設置され、前記回転部及び前記連接線と前記回路基板との溶接点は前記収容部に収容されることを特徴とする請求項４に記載の電子装置。
【請求項６】
前記連接線は、前記回転部を挿通させる湾曲部を備え、前記湾曲部は、前記収容部に収容されることを特徴とする請求項５に記載の電子装置。
【発明の詳細な説明】
【技術分野】
【０００１】
本発明は、ディスプレイ部を有する電子装置に関するものである。
【背景技術】
【０００２】
従来の技術において、ノートパソコンのディスプレイ部とマザーボードとは一束の金属線によって互いに接続されている。金属線束の両端には、コネクタがそれぞれ接続され、コネクタはディスプレイ部及びベース上のマザーボードにそれぞれ接続される。しかし、金属線束の厚さは最小でも０．５ｍｍである。従って、金属線束を挿入させるには、ディスプレイ部の上カバーとスクリーンとの間に設けるギャップの高さも最小でも０．５ｍｍにしなければならないため、ノートパソコンの軽薄化は困難である。
【発明の概要】
【発明が解決しようとする課題】
【０００３】
本発明の目的は、前記問題を解決し、薄型電子装置を提供することである。
【課題を解決するための手段】
【０００４】
上記目的を達成するために、本発明に係る電子装置は、ベースと、前記ベースに回転可能に装着されるディスプレイ部と、前記ベースに設置されるマザーボードと、接続部品と、を備える。前記ディスプレイ部は、上カバー及びスクリーンを備え、前記上カバーと前記スクリーンとの間にはギャップが設けられ、前記接続部品は、柔軟性を有する回路基板及び前記回路基板よりも厚く、前記回路基板に接続される接続線を備え、前記回路基板は前記ギャップ内に挿入され且つスクリーンに電気的に接続される延伸部を備え、前記接続線は前記マザーボードに電気的接続される。
【発明の効果】
【０００５】
本発明に係る電子装置は、金属線束より薄い回路基板の延伸部を上カバーとスクリーンとのギャップに挿入し且つスクリーンと接続させるので、上カバーとスクリーンとの距離を０．５ｍｍ以下に縮め、ディスプレイ部を薄くすることができる。
【図面の簡単な説明】
【０００６】
【図１】本発明の実施形態に係る電子装置の斜視分解図である。
【図２】図１に示す電子装置のディスプレイ部の斜視分解図である。
【図３】図２に示すディスプレイ部の接続部品の斜視図である。
【図４】図２に示すディスプレイ部の一部が組み立てられた状態を示す図である。
【図５】図４に示すＶ部の拡大図である。
【図６】図２に示すディスプレイ部の斜視組立図である。
【図７】図６に示すＶＩＩ部の拡大図である。
【図８】図１に示す電子装置の斜視組立図である。
【図９】図８に示す電子装置のＩＸ−ＩＸ線に沿った断面図である。
【図１０】図２に示すディスプレイ部の接続部品の拡大図である。
【発明を実施するための形態】
【０００７】
図１に示したように、本発明の実施形態に係る電子装置は、ベース１０と、ベース１０に回転可能に装着されるディスプレイ部２０と、を備える。
【０００８】
ベース１０は、下カバー１１と、下カバー１１上に固定されるキーボード１２と、マザーボード１３と、を備える。マザーボード１３上には、マザーボードコネクタ１３１が設置されている。本実施形態において、キーボード１２及びマザーボード１３は、下カバー１１に平行に位置する。
【０００９】
図２に示したように、ディスプレイ部２０は、上カバー２１と、ディスプレイ部２０をベース１０に回転可能に装着するために用いられる回転部２３と、上カバー２１とほぼ平行に設置されるスクリーン２５と、を備える。
【００１０】
回転部２３は、上カバー２１の底部とベース１０との間に設置されても良いが、本実施形態においては、回転部２３は上カバー２１の底部に装着された収容部２１１内に設置される。スクリーン２５は、表示板２５１を備える。表示板２５１のうち上カバー２１を向く表面には、スクリーンコネクタ２５３が設置されている。上カバー２１と表示板２５１との間には、ギャップ２６が設けられている（図９を参照）。
【００１１】
図３及び図１０に示したように、電子装置は、スクリーン２５をマザーボード１３に接続するために用いられる接続部品３０を更に備える。接続部品３０は、柔軟性を有する回路基板３１と、金属製の連接線３２と、接続線３３と、を備える。回路基板３１の厚さは、０．１５ｍｍ以上０．２ｍｍ以下である。接続線３３は、連接線３２から延伸し、回路基板３１より厚い金属線層を形成する。連接線３２は、略Ｌ字状を呈し、第一段部３２０及び第一段部３２０より下方に位置し且つ第一段部３２０に垂直に延伸する第二段部３２２を備える。また、連接線３２は、摩損しにくい材料から製造された保護皮内に収容されている。本実施形態において、連接線３２の切断面は、円形を呈する。
【００１２】
回路基板３１の一側からは、細長い延伸部３１１が延出し、延伸部３１１の末端には、第一コネクタ３１５が設置されている。回路基板３１の一端は、連接線３２の第二段部３２２の末端に溶接され且つ電気的に接続される。そのため、回路基板３１と連接線３２との間には、溶接点３５が形成される。接続線３３は、連接線３２の第一段部３２０の末端から延出し且つ第二コネクタ３３２と接続される。第一段部３２０と第二段部３２２との交差点には、湾曲部３２３が形成されている。湾曲部３２３は、第一段部３２０のうち接続線３３から離間する一端から上方へ垂直に延伸し、次いで接続線３３に向けて垂直に延びた後、第二段部３２２に且つ斜め下方に延伸して第二段部３２２と連接される。
【００１３】
図４〜図９に示すように、組み立てる際、回路基板３１を、スクリーン２５の下方に部分的に配置し、延伸部３１１を、ギャップ２６内に挿入する。この時、延伸部３１１は、粘着剤によって上カバー２１のスクリーン２５に面する側に固定される。次いで、第一コネクタ３１５を、スクリーンコネクタ２５３に接続する。連接線３２の湾曲部３２３は回転部２３に挿通され、且つ溶接点３５と共に収容部２１１内に収容されるが、この時、連接線３２の第一段部３２０は、収容部２１１から露出する。次いで、接続線３３の第二コネクタ３３２を、マザーボードコネクタ１３１に電気的に接続する。
【００１４】
回路基板３１の厚さは、０．１５ｍｍ以上０．２ｍｍ以下であるため、ギャップ２６の高さ（即ち、上カバー２１からスクリーン２５までの距離）は、０．１５ｍｍ以上０．５ｍｍ以下にすることができる。しかし、ギャップ２６の高さは、０．１６ｍｍ以上０．２１ｍｍ以下にするのが好ましい。このようにして、上カバー２１とスクリーン２５との距離を０．５ｍｍ以下に縮めることができるため、ディスプレイ部２０を薄くすることができる。
【００１５】
また、連接線３２の保護皮は摩損されにくい材料から製造されるので、ディスプレイ部２０がベース１０に対して回転部２３を回転させても、連接線３２が露出して且つ摩損することが無いため、表示板２５１は高品質の画質を確保できる。
【符号の説明】
【００１６】
１０  ベース
１１  下カバー
１２  キーボード
１３  マザーボード
１３１  マザーボードコネクタ
２０  ディスプレイ部
２１  上カバー
２１１  収容部
２３  回転部
２５  スクリーン
２５１  表示板
２５３  スクリーンコネクタ
２６  ギャップ
３０  接続部品
３１  回路基板
３１１  延伸部
３１５  第一コネクタ
３２  連接線
３２０  第一段部
３２２  第二段部
３２３  湾曲部
３３  接続線
３３２  第二コネクタ
３５  溶接点
【図１】
2014146315.tif 000003
【図２】
2014146315.tif 000004
【図３】
2014146315.tif 000005
【図４】
2014146315.tif 000006
【図５】
2014146315.tif 000007
【図６】
2014146315.tif 000008
【図７】
2014146315.tif 000009
【図８】
2014146315.tif 000010
【図９】
2014146315.tif 000011
【図１０】
2014146315.tif 000012